(57)【特許請求の範囲】
【請求項１】
レイアップ構造体へのレイアップ配置方法であって、
レイアップをサドルモジュール上に配置することと、
このサドルモジュールを予め選択された位置と位置合わせすることと、
前記レイアップをレイアップ構造体に押し付けること、
を具備し、該サドルモジュールは
(A)サドル基部と、
(B)予め選択された複合材料レイアップを屈撓可能にかつ解放可能に保持するように構成された支持フレームと、
(C)前記サドル基部に移動可能に取り付けられ、かつ、前記支持フレームに緊張可能に装着された位置設定器組立体とを有した、
方法。
【請求項２】
前記予め選択された位置は、前記レイアップ構造体上の所定の適用経路に位置する、請求項１に記載の方法。
【請求項３】
前記レイアップは、前記所定の適用経路に沿って前記レイアップ構造体に強制的に接触される、請求項２に記載の方法。
【請求項４】
前記レイアップ構造体は、
予製作段階と、
製作段階と、
後製作段階と
を備える製作方法により組み付けられる航空機用である、請求項１に記載の方法。
【請求項５】
前記予製作段階は、
第三者により製作された構成品を選択することを更に備え、前記構成品は、航空機組立体及び航空機副組立て体内で使用される、請求項４に記載の方法。
【請求項６】
前記後製作段階は、
前記レイアップ構造体用前記レイアップを使用する航空機の再加工を更に備える、請求項４に記載の方法。
【請求項７】
前記レイアップは、前記レイアップ構造体の所定の部分への適用に向けて作製された予めパターン化された複合構造体を有するレイアップキットを含む、請求項１に記載の方法。
【請求項８】
レイアップ構造体へのレイアップ配置用装置であって、
予め選択された複合材料レイアップを受け止めるように構成されたサドルモジュール
を具備し、
このサドルモジュールは、
(A)サドル基部と、
(B)前記予め選択された複合材料レイアップを屈撓可能にかつ解放可能に保持するように構成された支持フレームと、
(C)前記サドル基部に移動可能に取り付けられ、かつ、前記支持フレームに緊張可能に装着された位置設定器組立体とを有し、
前記予め選択された複合材料レイアップを前記レイアップ構造体上に配置するように構成されている装置。
【請求項９】
前記サドルモジュールは、予め規定された適用力で、予め規定された適用経路を覆うように前記レイアップ構造体上に前記予め選択された複合材料レイアップを配置するように構成されている、請求項８に記載の装置。
【請求項１０】
レイアップ構造体へのレイアップ配置用装置であって、
前記レイアップ構造体の基準軸を含む所定の空間座標系内に位置決めされ、予め選択された複合材料レイアップを受け止めるように構成されたサドルモジュールと、
前記所定の空間座標系内で所定の基準場所に固着され、前記所定の基準場所を基準として、作業空間の境界が前記所定の空間座標系において定められ、前記レイアップ構造体は、前記画定作業空間に対して一定の位置に保持される、基準基部と、
該基準基部と整合して装着され、かつ、前記レイアップ構造体の基準軸に沿って前記基準基部から延在する整合フレームであって、前記サドルモジュールが、前記所定の基準場所に対応する予め選択された整合位置にて前記整合フレームと横方向に係合された整合フレームと、
を具備し、
前記サドルモジュールは、所定の適用力方向に印加される予め規定された適用力で予め規定された適用経路を覆うように前記レイアップ構造体上に前記予め選択された複合材料レイアップを配置するように構成され、前記レイアップ構造体は、前記予め選択された整合位置に対応するそれぞれのレイアップ構造体輪郭プロファイルを有し、前記予め選択された整合位置は、前記レイアップ構造体上の前記適用経路に位置し、
前記サドルモジュールは、
(A)前記整合フレームと係合され、かつ、前記整合フレームにより支持されるサドル基部と、
(B)前記予め選択された複合材料レイアップを屈撓可能にかつ解放可能に保持するように構成された支持フレームと、
(C)前記サドル基部に移動可能に取り付けられ、かつ、前記支持フレームに緊張可能に装着された位置設定器組立体であって、
前記支持フレームを付勢して、前記予め規定された適用力で前記予め選択された複合材料レイアップを前記レイアップ構造体の少なくとも１つの予め選択された割り出し位置に強制的に接触させる位置設定器組立体、とを有した装置。
【請求項１１】
前記サドルモジュールは、レイアップキットを受け止めるように構成されており、該レイアップキットは、担持体とこの担持体上に位置決めされた前記予め選択された複合材料レイアップとを備える、請求項８または１０に記載の装置。
【請求項１２】
前記担持体は、前記レイアップ構造体への予め選択された割り出し位置に対応する選択可能な割り出し方位で、前記サドルモジュール上に前記予め選択された複合材料レイアップを保持するように構成された割り出し要素を含む、請求項１１に記載の装置。
【請求項１３】
前記サドルモジュールは、前記レイアップ構造体の基準軸を含む所定の空間的座標系内に位置決めされる、請求項８に記載の装置。
【請求項１４】
前記所定の空間座標系内で所定の基準場所に固着され、前記所定の基準場所を基準として、作業空間の境界が前記所定の空間座標系において定められ、前記レイアップ構造体は、前記作業空間に対して一定の位置に保持される、基準基部と、
該基準基部と整合して装着され、かつ、前記レイアップ構造体の基準軸に沿って前記基準基部から延在する整合フレームであって、前記サドルモジュールが、前記所定の基準場所に対応する予め選択された整合位置にて前記整合フレームと横方向に係合された整合フレームと、
をさらに具備し、
前記サドルモジュールは、所定の適用力方向に印加される予め規定された適用力で予め規定された適用経路を覆うように前記レイアップ構造体上に前記予め選択された複合材料レイアップを配置するように構成され、前記レイアップ構造体は、前記予め選択された整合位置に対応するそれぞれのレイアップ構造体輪郭プロファイルを有し、前記予め選択された整合位置は、前記レイアップ構造体上の前記適用経路に位置した請求項１３に記載の装置。
【発明の詳細な説明】
【技術分野】
【０００１】
本発明は、全般的に、航空機製造に関するものであり、更に詳しくは、複合材料を使用する機体製作に関するものである。
【従来の技術】
【０００２】
最新の商用航空機は、金属構成品製造で使用されるものと異なる製造装置及び技法を必要とするかなりの量の複合材料を使用して製作される。自動化繊維配置（ＡＦＰ）機械は、大型航空機製作に向けて開発されたものであり、一般的なＡＦＰ機械は、マンドレルを使用して、通常、束状複合繊維糸または繊維束として複合材料を機体上に配置する。ＡＦＰマンドレルは、大型である可能性があり、２０トンから１００トンを上回る重量であることが多く、胴体筒体（fuselage barrel）周りに連続回転で使用されたときが最も効率的である。しかしながら、１つまたはそれ以上の更なる複合材料層を胴体の限られた各部に配置してポート、ハッチ、ドアなど向けの切抜き部及び開口部など、特定の場所を補強することが必要であることが多い。更に、これらの層は、主要連続的繊維配置方位と異なる方位または方向角で配置する必要がある場合がある。これらの更なる層を配置するために、一般的なＡＦＰマンドレルは、停止、位置決めし直し、再起動が行われ、大型輸送クラスの航空機の商業生産で問題となる恐れがある各種の非効率が発生している。
【０００３】
その結果、制限なく、かつ、一般的なＡＦＰマンドレルを停止、位置決めし直し、または再起動することなく、翼及び／または機体の限られた各部に１つまたはそれ以上の更なる複合材料層を効率的に配置することができる装置及び方法に対する必要性がある。
【発明の開示】
【発明の概要】
【０００４】
一実施形態においては、レイアップ構造体へのレイアップ配置方法を提供する。本方法は、サドルモジュールの支持フレーム上にレイアップ構造体用レイアップを反復的に積み付けることと、レイアップ構造体の所定の適用経路に対応する予め選択された整合位置とサドルモジュールを位置合わせすることと、レイアップを押し付けて、所定の適用力で所定の適用経路に沿ってレイアップ構造体と強制的に接触させることを含む。
【０００５】
別の実施形態においては、レイアップ構造体へのレイアップ配置用装置を提供する。本装置は、予め選択された複合材料レイアップを受け止めるように構成されたサドルモジュールを備え、サドルモジュールは、予め規定された適用力で、予め規定された適用経路を覆うようにレイアップ構造体上に予め選択された複合材料レイアップを配置するように構成されている。
【０００６】
更なる別の態様においては、レイアップ構造体へのレイアップ配置用装置を提供する。本装置は、一斉に作動するように構成された複数のサドルモジュールを含み、複数のサドルモジュールは、予め選択された複合材料レイアップを受け止めるように構成されている。
【０００７】
航空機レイアップ構造体へのレイアップ配置方法であって、
サドルモジュールの支持フレーム上にレイアップ構造体用レイアップを反復的に積み付けることと、
レイアップ構造体の所定の適用経路に対応する予め選択された整合位置とサドルモジュールを位置合わせすることと、
レイアップを押し付けて、所定の適用力で所定の適用経路に沿ってレイアップ構造体と強制的に接触させることと、
を備える方法。
【０００８】
本方法は、
レイアップを押し付ける前に、所定の適用経路に対応する局所的な基準系においてレイアップ構造体への予め選択された割り出し位置にレイアップを割り出すことを更に備える。
【０００９】
レイアップを押し付けることは、
所定の適用速度で所定の適用経路に沿った適用圧力の移動領域として所定の適用力を用いることにより、レイアップ構造体の第１の選択可能な割り出し位置から第２の選択可能な割り出し位置にレイアップを押し付けることを更に備える方法。
【００１０】
レイアップ構造体は、所定の適用経路に対応するそれぞれのレイアップ構造体輪郭プロファイルを有し、レイアップは、それぞれの輪郭プロファイルに対応する予め選択されたレイアップを備え、レイアップを押し付けることは、適用圧力の略均一な移動領域として所定の適用力を押し付けることを更に備え、予め選択されたレイアップは、レイアップ構造体への予め選択された割り出し位置上に配置される方法。
【００１１】
レイアップ適用を確認することは、レイアップ位置を検査することを更に備える方法。
【００１２】
レイアップ適用を確認することは、レイアップ適用を検査することを更に備える方法。
【００１３】
本方法は、
請求項９のレイアップ構造体へのレイアップ配置を利用する航空機組立て方法を更に備える。
【００１４】
航空機組立て方法は、
製作前段階と、
製作段階と、
製作後段階と
を更に備える。
【００１５】
製作前段階は、
第三者により製作された構成品を選択することを更に備え、構成品は、航空機組立て品および航空機半組立て品において使用される方法。
【００１６】
製作前段階は、
レイアップ配置用レイアップ構造体を設計することを更に備える方法。
【００１７】
製作後段階は、
レイアップ構造体用レイアップを使用した航空機の再加工を更に備える方法。
【００１８】
レイアップ構造体は、生産方法により組み立てられた航空機用であり、
製作前段階と、
製作段階と、
製作後段階と
を備える装置。
【００１９】
製作前段階は、
第三者により製作された構成品を選択することを更に備え、構成品は、航空機組立て品および航空機半組立て品において使用される装置。
【００２０】
製作前段階は、
レイアップ配置用レイアップ構造体を設計することを更に備える装置。
【００２１】
製作後段階は、
レイアップ構造体用レイアップを使用する航空機の再加工を更に備える装置。
【００２２】
レイアップ構造体へのレイアップ配置用装置であって、
一斉に作動するように構成された複数のサドルモジュール、を備え、
前記複数のサドルモジュールは、予め選択された複合材料レイアップを受け取るように成形されている装置。
【００２３】
複数のサドルモジュールは、予め規定された適用力でレイアップ構造体上に予め選択された複合材料レイアップを配置する装置。
【００２４】
予め規定された適用力は、レイアップ構造体輪郭プロファイルに対応する予め規定された適用経路にわたって適用される装置。
【００２５】
複数のサドルモジュールは、担持体と、担持体上に位置決めされた予め選択された複合材料レイアップとを備えるレイアップキットを受け取るように構成されており、担持体は、複数のサドルモジュールへの予め選択された複合材料レイアップをレイアップ構造体への予め選択された割り出し位置に対応する選択可能な割り出し方位に保持するように構成された割り出し要素を含む装置。
【００２６】
レイアップ構造体は、生産方法により組み立てられた航空機用であり、
製作前段階と、
製作段階と、
製作後段階と、
を備える装置。
【００２７】
製作前段階は、
第三者により製作された構成品を選択することを更に備え、構成品は、航空機組立て品および航空機半組立て品において使用される装置。
【００２８】
製作前段階は、
レイアップ配置用レイアップ構造体を設計すること、
を更に備える装置。
【００２９】
製作後段階は、
レイアップ構造体用レイアップを使用する航空機の再加工を更に備える装置。
【００３０】
この短い要約は、様々な実施形態の性質を素早く理解することができるように提示したものである。添付図面と関連して各種好適な実施形態の以下の詳細な説明を参照すれば、各種実施形態のより完全な理解を得ることができる。
【００３１】
本発明の各種実施形態及びこれらの利点は、以下の詳細な説明を参照することにより最も良く理解される。同様の参照番号は、各種図の１つまたはそれ以上において例示する同様の要素を特定するために使用されていることを認識されたい。
【詳細な説明】
【００３２】
本明細書では、広範囲にわたるレイアップ構造体の輪郭、外形、サイズ、及び構成に対応することができる、モジュール式レイアップ配置装置及び対応方法の各種実施形態を説明する。
【００３３】
本明細書で使用されるとき、「レイアップ」は、１つの層（薄層）または複数の層を有する、複合材料を含む成形組立体を指す。多層レイアップは、積み重ね構成、サンドイッチ構成、またはこの組み合わせで製作することができる。複合材料は、支持マトリクス材により配設されると共に取り囲まれる繊維を有する繊維マトリクス材とすることができる。一般に、繊維とは、炭素繊維材、黒鉛繊維材、ポリマー繊維材、金属繊維材、またはその組み合わせを含むがこれらに限定されない、天然、人工を問わず、任意の適切な繊維材を指すことができる。更に、金属繊維材としては、アルミニウム、ステンレス鋼、チタン、または、これらの合金類または有機金属的組み合わせを挙げることができるがこれらに限定されない。繊維は、ホイスカ、平行フィラメント（collimated filament）、繊維糸、織布、リボン、マット、またはこれらの組み合わせとして繊維システムに配設することができる。複合材料の一例は、物理的特性、化学特性、またはこの両方が異なり、一般的に組成においてそれぞれの特性を保持し、特殊な特性を結果的に得られる複合材料に与えるように共同利用で機能することができる２つまたはそれ以上の構成材料の組み合わせである強化複合材料とすることができる。「複合」及び「強化複合」という用語は、同意語であるとすることができる。最新の機体製造においては、構成材料としては、一般的に、マトリクスシステム内で取り囲まれると共に維持される繊維システムの形の強化材料がある。
【００３４】
繊維システム強化材としては、織布、不織布、マット、クロス、荒目地クロス、テープ、撚り線、繊維束、またはこれらの組み合わせを含むがこれらに限定されない数多くの形で実現することができる、ガラス繊維、炭素繊維、黒鉛繊維、金属繊維、またはこれらの組み合わせを挙げることができるがこれらに限定されない。一般に、繊維束は、単独で、または、布、クロス、テープ、またはこれらの組み合わせの構成要素として使用することができる。各種の1本もの炭素繊維フィラメントを含む、略平行な１本ものフィラメントの不撚り束または糸である。一般的に、このような糸から作られたこの糸及び他の材料形態は、各繊維束内に設けられているフィラメント数で識別することができる。例えば、「６Ｋ」という炭素繊維束は、一般的に、６０００本の１本もの炭素フィラメントを構成する。同様に、炭素織物は、経糸及び緯糸の一方または両方で６Ｋ炭素繊維束から作製することができる。レイアップは、炭素材または黒鉛材に関して説明することができるが、本発明の各種実施形態は、１つまたはそれ以上の薄層が金属または金属複合材料で構成することができるレイアップも包含する。
【００３５】
また、支持マトリクスは、有機マトリクス材、金属マトリクス材、金属間マトリクス材、または有機金属マトリクス材を含む、選択繊維システムを埋設するために適切に構成された材料とすることができる。支持マトリクスの１つの非制限的な例においては、炭素繊維システムは、硬質エポキシ樹脂有機マトリクス材など、熱硬化性または熱可塑性材料内に埋設することができる。金属マトリクス材は、アルミニウム、ステンレス鋼、チタン、これらの合金または金属間化合物を含むがこれらに限定されない１つまたはそれ以上の金属で構成することができる。マトリクスシステムの非制限的な例は、樹脂マトリクスシステムとすることができる。樹脂マトリクスシステムは、熱硬化性または熱可塑性特性を有することができ、かつ、取り扱い及び処理上の挙動及び物理的特性に影響を与える様々な成分または添加剤を含むことができる有機ポリマーまたはプレポリマーとすることができる。樹脂マトリクスシステムは、例えば、隣接複合材料層間で、または、複合材料層と機体表面との間で表面装着を生成することができる接着剤としての使用に向けて構成することができる。一般的に使用されている樹脂マトリクスシステムの例は、エポキシポリマー樹脂など、重合可能な熱硬化性樹脂とすることができる。一般的に、樹脂マトリクスシステムは、公称樹脂硬化温度、樹脂タイプ、特有の材料特性に関して識別することができる。
【００３６】
しかしながら、本明細書の各種実施形態は、樹脂マトリクスシステムで製作されたレイアップに限定されないものであり、他の適切なマトリクスシステムを採用することができる。更に、１つまたはそれ以上のレイアップ薄層は、アルミニウムまたはアルミニウム合金、ステンレス鋼またはステンレス鋼合金、チタンまたはタチン合金、マグネシウムまたはマグネシウム合金、または炭化珪素または炭化珪素合金を含むがこれらに限定されない、金属または金属合金の層とすることができる。また、１つまたはそれ以上の薄層は、金属間マトリクス複合材料、金属マトリクス複合材料、またはセラミック複合材料から製作することができる。このようなマトリクスシステム、及び機能的な類似物は、当技術分野で公知である。
【００３７】
本明細書で使用されるとき、レイアップ構造体は、レイアップを適用することができる構造体である。レイアップ構造体の一例は、胴体、翼、先尾翼、円錐体（cone）、垂直安定板、ドア、レードーム、機首、尾翼、ナセル、ストレイク、桁フランジ、または整形板を含むがこれらに限定されない機体またはこの一部することができる。レイアップ構造体の別の例は、モールドまたはマンドレルを含むがこれらに限定されない総形工具とすることができる。モールド総形工具は、翼、先尾翼、ドア、レードーム、ストレイク、桁フランジ、整形板、またはこれらの一部（を含むがこれらに限定されない）などの機体角部分（angular portion）の製作において採用することができる。同様に、マンドレル総形工具は、機首、円錐体、ドア、レードーム、胴体、尾翼、ナセル、またはこれらの一部を含むがこれらに限定されない円筒形機体部分の製作において採用することができる。言うまでもなく、他の総形工具を採用することができ、他のレイアップ構造体を選択することができる。便宜上、本明細書の特定の実施形態は、機体胴体について説明する場合があるが、これは、限定されたものと解釈しないようにされたい。
【００３８】
レイアップ構造体は、基準軸に沿って各予め選択された整合位置にて規定可能な横断面形状を有することができる。適用幅では、基準軸に沿って予め選択された整合地点にてレイアップ構造体表面の規定可能な領域の線形範囲を表すことができる。適用幅の線形範囲は、適用方向に略垂直方向にかつ、大略的に基準軸に沿って方向づけられるものである。レイアップ構造体のテーパー状ではない部分は、予め選択された整合地点に対応する適応幅にわたって実質的に不変のままである所定の輪郭プロファイルを示すことができる。しかしながら、レイアップ構造体は、基準軸に沿ってテーパー状、即ち、例えば、レイアップ構造体の基準軸に沿って変動横断面形状を有することができる。したがって、レイアップ構造体のテーパー部分は、適応幅の範囲にわたって３次元で変動する所定の輪郭プロファイルを示すことができる。したがって、予め選択されたレイアップ材料は、予め選択された整合地点に対応する適応幅に沿って３次元で変動することができる所定の輪郭プロファイルに適合するように構成することができる。
【００３９】
本レイアップ配置装置は、１つまたはそれ以上の実施形態において、対応する空間的基準系内の公知の基準場所、つまり、「ホーム」に対して、規定可能な空間的関係で、構造体上に、予め選択された材料から製作されたレイアップを配置するように構成することができる。基準場所は、一般的に、共通の空間的基準系内での境界条件を特定するために、かつ、均一に高い精度で空間的基準系内の選定場所を特定するために、人間のオペレータにより、または機械により利用することができる公知の基準場所を表すものである。作業空間は、基準場所を含む規定可能な空間的基準系である。
【００４０】
規定として、公知の場所「に対応する」ことは、この場所と規定された空間的関係にあることである。また、整合とは、公知の基準場所と作業空間内の特定の平面または特定の組の平面との一致を確立する方法である。当該の平面は、局所的な基準系を規定することができる。整合位置とは、当該の局所的な基準系が既に確立されている特定された場所である。割り出しとは、局所的な基準系内に作業地点または作業領域を確立する方法であり、割り出し位置とは、そのようにして特定された作業地点または作業領域である。整合位置は、対応する局所的な基準系内の１つまたはそれ以上の割り出し位置に対応する場合がある。本明細書で使用されるとき、割り出し位置及び割り出し位置での事物の場所は、整合位置を公知の基準場所と対応させることにより、公知の基準場所に対応させることができる。したがって、割り出し位置は、作業空間内の公知の基準場所を基準とした構造体の表面上の独自の場所に対応することができる。
【００４１】
更に、「適用」という用語は、作業空間内で基準としたレイアップ構造体の表面上に予め選択されたレイアップ材料を配置することを参照して作られている。予め選択されたレイアップ材料は、配置後にレイアップ構造体表面に接着するように処理することができる。適用経路は、レイアップ材料を適用することができるレイアップ構造体表面の規定可能な領域を表すことができ、適用方向は、始点から終点まで、作業空間内の適用経路の方位を表すことができ、適用速度は、適用経路に沿った時間を基準とした動きを表すことができる。同様に、適用力は、適用経路に沿って配置されているレイアップ材料に押し付けられる選択可能な力とすることができる。適用力は、適用方向に適用経路に沿って押し付けることができる。しかしながら、適用力は、大略的に適用方向と異なる方向及び方位を有する。例えば、適用力の方向は、適用経路の少なくとも一部にわたって適用方向に垂直であるとすることができる。一般に、適用経路は、選択可能な整合位置を基準とすることができ、かつ、直線または曲線とすることができる。
【００４２】
「不一致」は、本明細書を通じて妥当な前後関係で使用されるとき、外部要因（異物デブリ（ＦＯＤ）、熱負荷、構造負荷、雷、またはアーク発生を含む）に晒されても影響を受けなかった複合構造体の１つまたはそれ以上の実測特性と、外部要因に晒されて影響を受けた複合構造体の同じ１つまたはそれ以上の実測特性との差異を指す。「不一致」には、設計許容値内で製造された複合構造体の１つまたはそれ以上の実測特性と、設計許容値を超えて製造された複合構造体の同じ１つまたはそれ以上の実測特性との差異も含まれる。
【００４３】
図１は、本発明の各種実施形態による、統合航空機製造法１００を例示する。本明細書で使用されるとき、統合航空機製造法１００は、製造、支持、またはこの両方を含むこともできる。一般的に、この方法１００は、予製造段階（Ｓ１０２）、製造段階（Ｓ１０４）、及び後製造段階（Ｓ１０６）を含む。予製造段階（Ｓ１０２）は、航空機設計、半組立て、構成品設計（Ｓ１１０）、及び材料仕様及び調達（Ｓ１２０）を含むことができる。材料仕様及び調達（Ｓ１２０）は、ベンダー、下請業者、または納入業者の第三者によるが、これに制限されることなく、製作構成品または製造半組立て品の選定及び調達を含むことができる。製造段階（Ｓ１０４）は、構成品製作または半組立て品製造（Ｓ１３０）及び航空機組立て（Ｓ１４０）を含むことができる。前記予製造段階（Ｓ１０２）及び製造段階（Ｓ１０４）は、航空機及び構成品設計、開発及びシミュレーションの各種工程、材料、構成品、半組立て品仕様、及び調達の各種工程、自動製造立案工程、製作及び組立て工程、及び品質管理工程の１つまたはそれ以上を含め、統合製造方法（Ｓ１０５）の要素とすることができる。
【００４４】
統合方法１００など、最新航空機製造方法の各様態は、最終組立て品で終わるのではなく、メーカー、政府当局、顧客及び航空機オペレータ間の反復的かつ双方向性の共同作業を伴う、航空機の耐用年数にわたって拡張すると考えられる。したがって、統合製造方法１００は、後製造段階（Ｓ１０６）を含むことができる。後製造段階（Ｓ１０６）は、航空機納入及び適格性証明（Ｓ１５０）及び航空機整備（Ｓ１６０）を含むことができる。航空機納入及び適格性証明（Ｓ１５０）は、顧客仕様通りの航空機を供給することを含むことができるが、顧客仕様は、航空機が組み立てられた後に既に変更されている場合がある。したがって、納入及び適格性証明は、顧客またはオペレータへの納入後の航空機の１つまたはそれ以上の要素の補修、修正、または手直しを含むことができる。また、航空機の納入と退役間の整備期間における航空機の修正、補修、または機能向上を行なうことが望ましいであろう。したがって、航空機整備（Ｓ１６０）は、従来の製作または組立て以前の既存の材料、構成品、または半組立て品を含め、機体の一部の補修、修正、または機能向上を含むことができる。
【００４５】
本発明で実施する装置及び方法は、段階Ｓ１０２、Ｓ１０４、またはＳ１０６の１つまたはそれ以上において統合製造方法１００中に採用することができる。例えば、製造段階Ｓ１０４に対応する構成品または半組立て品は、予製造段階Ｓ１０２中に調達された構成品または半組立て品と同様の方法で製作または製造することができ、また、その逆を行なうことができる。また、装置の実施形態、方法の実施形態、またはこれらの組み合わせの１つまたはそれ以上は、例えば、実質的に航空機の組立てをかなり促進させることにより、製造段階（Ｓ１０４）中に特に有益であろう。装置の実施形態、方法の実施形態、またはこれらの組み合わせの１つまたはそれ以上は、例えば、航空機納入及び適格性証明（Ｓ１５０）及び／または保守及び整備（Ｓ１６０）中の再加工に限定されることなく、後製造段階１０６中に有益であろう。
【００４６】
図２は、本発明の実施形態による、統合レイアップ適用システム（ＩＬＡＳ）２００の各種実施形態を例示する。図３は、ＩＬＡＳ  ２００によりレイアップ構造体３００上に配置することができるような、予め規定された複合レイアップ３０１から３０５を例示する。ＩＬＡＳ  ２００は、図１の製造方法１００の段階Ｓ１０２、Ｓ１０４またはＳ１０６の１つまたはそれ以上において使用することができ、かつ、レイアップ適用（以下、サドル）システム２１０、レイアップ構造体組立体２３０及び確認検査システム２４０を採用することができる。サドルシステム２１０の非制限な例は、それぞれ、図6、図７、図8のレイアップ配置装置（以下）ＬＰＡ  ６００、ＬＰＡ  ７００、またはＬＰＡ  ８００を含むことができる。レイアップ構造体の非制限な例は、図３のレイアップ構造体３００及び図６、図７、または図８のレイアップ構造体６９０を含む。有利なことに、予め規定された複合レイアップ３０１〜３０５は、例えば、レイアップ構造体３００を使用して航空機を製作することができる機体製作及び組立て施設と別途の製作施設にて、レイアップ構造体３００への適用に先んじて予め製作することができる。製作後、予め規定された複合レイアップ３０１〜３０５の１つまたはそれ以上は、まさかのときの製造工程に適切な方法で在庫品として検査、保管、保守、または納入することができる予め規定された複合レイアップキットとして供給することができる。図２の状況においては、図３の各複合レイアップ３０１〜３０５は、図６に示すようにそれぞれの担持体上に配置して、それぞれの予め選択されたレイアップキット２２１〜２２３によって表されるように、レイアップキットを成すことができる。予め規定された複合レイアップ３０１〜３０５は、レイアップ構造体３００の輪郭に適合するように構成された予めパターン化された複合レイアップとすることができる。予めパターン化された複合レイアップ３０１〜３０５の１つまたはそれ以上は、制限なしに、開口または切抜き部を有するか、または、他の方法で、例えば、予め選択された整合位置にて、特定のレイアップ構造体３００の所定の一部への適用に向けて作製することができる。
【００４７】
１つまたは複数のレイアップキット２２１、２２２、２２３は、対応するレイアップ構造体への一般的な適用に向けて、ならびに、機体の特定の部分、特定の機体、特定の製造稼動、または特定の製造ラインまたは製品ライン変形に向けて製作することができ、したがって、サイズ、形状、層、組成、またはこれらの組み合わせが変わる場合がある。ＩＬＡＳ  ２００は、キット保管組立体２２０を含むことができる。予め製作されたレイアップキットは、現行の製品ニーズに合うように選択してキット保管組立体２２０内に保管することができる。キット保管組立体２２０は、例えば、周囲温度、湿度、気体組成、またはレイアップキット位置制御により、予め選択されたレイアップキット２２１、２２２、２２３を保存するように構成することができる。１つの非制限的な例として、キット保管組立体２２０は、人間のオペレータ、またはＣＮＣ製造システム２５０の制御下で、予め選択されたレイアップキット２２１、２２２、２２３の１つをサドルシステム２１０に分配するように構成されたカセット型ロボット組立体として実行することができる。サドルシステム２１０は、予め選択されたレイアップキット２２１、２２２、または２２３を受け止めた後、レイアップ構造体３００に対して位置決めすることができ、かつ、レイアップ構造体組立体２３０と協動して、予めパターン化され、予め規定された複合レイアップをレイアップ構造体の対応する所定の部分に適用することができる。レイアップ構造体組立体２３０は、レイアップ構造体３００上でのサドルシステム２１０による予め規定された複合レイアップの正確な位置決め及び配置を容易にするためにレイアップ構造体３００を所定の基準場所に保持することができる。サドルシステム２１０またはレイアップ構造体組立体２３０の一方または両方は、少なくともある程度、ＣＮＣ製造システム２５０により制御することができる。
【００４８】
図４は、レイアップ適用方法（ＬＡＰ）４００の実施形態を例示する。ＬＡＰ  ４００は、制限なしに、例えば、図６のＬＰＡ  ６００、図７のＬＰＡ  ７００、または、図８のＬＰＡ  ８００、によって使用することができる。しかしながら、ＬＡＰ４００をこれらのＬＰＡまたはこのサドルモジュールのいずれかにより実践することは不要である。説明上に限り、図６に示す各種構成品について説明する。
【００４９】
ＬＡＰ４００は、レイアップ構造体の予め選択された部分に適用される予め選択されたレイアップを選択する（Ｓ４１０）ことにより始まることができる。上記に従って、適切なレイアップ構造体は、機体または機体の一部とすることができるか、または、モールドまたはマンドレルなど、総形工具とすることができる。簡素化のため、ＬＡＰ４００は、制限なしに、胴体など、レイアップ構造体６９０について説明することができる。レイアップ構造体６９０は、胴体、モールド、総形工具、またはマンドレル総形工具以外の機体の部分とすることもできる。サドルモジュール６２０は、予め規定された基準場所を基準とする予め選択された整合位置にて、レイアップ構造体６９０と位置合わせする（Ｓ４２０）ことができる。また、所定の適用経路は、予め選択された整合位置にて局所的な基準系内に規定することができる。例えば、予め選択された整合位置６７５は、基準場所６５０を基準にすることができ、かつ、大略的に、レイアップ構造体６９０上の所定の適用経路６９５に対応する。
【００５０】
位置合わせされると、予め選択されたレイアップキット（レイアップ６３０及び担持体６３１）は、サドルモジュール６２０の支持フレーム６２８上に積み付ける（Ｓ４２５）ことができる。予め規定された整合位置６７５は、所定のレイアップ構造体輪郭プロファイルに対応することができる。予め選択されたレイアップ６３０は、予め選択された整合位置６７５にてそれぞれの所定のレイアップ構造体輪郭プロファイルに対応することができる。ＬＡＰ  ４００の選択実施形態においては、予め選択されたレイアップ６３０は、予め選択された整合位置にて、それぞれの所定のレイアップ構造体輪郭プロファイルに対応する所定のレイアップ構造体特長部に適合するように構成された予めパターン化されたレイアップとすることができる。一般的に、初期の平坦な形態を有する予め選択されたレイアップ６３０は、輪郭に合わせた所定の適用経路に沿ってレイアップ構造体６９０上に配置することができる。対応する所定の整合位置６７５にてレイアップ構造体６９０と位置合わせされると、予め選択されたレイアップ６３０をレイアップ構造体に適用する（Ｓ４３０）ことができる。一般的に、サドルモジュール６２０は、担持体６３１経由で、レイアップ構造体６９０に適用されるまで予め規定されたレイアップ６３０を保持する。
【００５１】
レイアップ構造体に適用された後、例えば、レイアップ構造体上でのレイアップ６３０の位置決め、構成、または接合を検査する（Ｓ４３５）ことにより、レイアップ適用を確認することが望ましいであろう。検査としては、制限なしに、レイアップ位置確認、レイアップ適用検査、またはこの両方を挙げることができる。位置確認は、レーザーを基本とする表面スキャナーなど、光センサー、光電センサー、または光学機械式（optomechanical）センサーを含むがこれらに限定されない確認用センサーを使用して達成することができる。適用検査は、レイアップ構造体６９０、他の複合材料、または、これらの組み合わせへのレイアップ適用に関するものとすることができる。検査は、例えば、電気式、電気光学式、または光学式のスキャンシステムを使用して実行することができる。好都合なことに、適切なレーザースキャンシステムは、機体製作、製造、及び組立ての技術分野で公知であり、かつ、相応に使用することができる。好都合なことに、レーザーを基本とするスキャンシステム、感知システム、及び位置決めシステムは、当技術分野で周知である。
【００５２】
重要なこととして、ＬＡＰ  ４００は、レイアップ構造体６９０の基準軸６９２に沿った１つまたはそれ以上の予め選択された整合位置６７５での、予め選択されたレイアップ６３０の迅速で反復的な配置に対応することができる。第１の予め選択されたレイアップが対応する第１の予め選択された整合位置にて適用された後、第２の予め選択されるレイアップを選択して、対応する予め選択された整合に適用することができる。
【００５３】
更なるレイアップ６３０を反復的に適用することができる（Ｓ４４０）。実際に、先行レイアップが検査中であるときに、ＬＡＰ  ４００は、その後の予め選択された整合位置に対応するその後のレイアップがサドルモジュール６２０上に選択されて積み付けられるように、かつ、その後の予め選択されたレイアップをレイアップ構造体に適用することが実際的になるとすぐにレイアップが適用されるように、その後の予め選択された整合位置に移動されるサドルモジュール６２０に対応することができる。その後の予め選択されたレイアップは、異なる予め選択された整合位置にて配置することができるか、または、先行レイアップと同じ予め選択された整合位置に配置することができる。このようにして、先行の予め選択されたレイアップを適用して数分以内にその後のレイアップを適用することが可能であるとすることができ、潜在的に、１桁から２桁の差、例えば、５０ｌｂｓ／ｈｒから１０００ｌｂｒ／ｈｒ以上までレイアップ適用速度が上がる。
【００５４】
重大なこととして、ＬＡＰ  ４００は、高精度自動化技法を用いて実行することができる。更に、予め選択されたレイアップとして１つまたはそれ以上の予めパターン化されたレイアップを採用することが望ましく、適用後のトリミング、操作及び再加工が更に低減される。レイアップ適用検査は、適用レイアップに不一致がないか検査することができる予め選択されたレイアップの適用規格に従って行なうことができる。複数のレイアップをレイアップ構造体６９０に適用することができる実行例においては、検査（Ｓ４３５）は、各レイアップが適用された後に、予め選択された個数のレイアップが適用された後に、全てのレイアップが適用された後に、または、上述した確認の組み合わせで、制限なしに行なうことができる。レイアップ構造体に適用されたレイアップの最終検査は、その後に行なう（Ｓ４５０）ことができる。
【００５５】
図５は、予め選択されたレイアップ６３０をレイアップ構造体６９０に適用することができるレイアップ適用方法５００の実施形態を全体的に示す。方法５００は、予め選択されたレイアップキット６３０、６３１をレイアップ構造体６９０と位置合わせする（Ｓ４２０）ことができる、図４のＬＡＰ  ４００のレイアップ適用Ｓ４３０の実行例とすることができる。レイアップ構造体と位置合わせされることに加えて、予め選択されたレイアップキットは、レイアップ構造体６９０上の予め選択された割り出し位置、例えば、図６の予め選択された割り出し位置６８０に対応するように、局所的な基準系内に割り出す（Ｓ５１０）ことができる。
【００５６】
位置決め後、所定の適用力で、レイアップ構造体の第１の選択可能な割り出し位置（例えば、図６、６８０）とレイアップの領域を強制的に接触させることができるように、レイアップキットをレイアップ構造体に近接させるためにサドルモジュールを起動させる（Ｓ５２０）ことが望ましいであろう。第１の選択可能な割り出し位置（６８０）は、一般的に、予め選択された整合位置（例えば、６７５）に対応する、所定の適用経路（例えば、６９５）の適用開始点（図示せず）を定めるものであり、適用終点（図示せず）は、レイアップ構造体６９０上の第２の選択可能な割り出し位置（６８０と類似）に位置する。所定の適用力は、レイアップ構造体の中心線６９２に略軸方向に内方に方向づけることができるが、例えば、特定の輪郭プロファイルに適合することが望ましいと考えられるように、異なる軸方向の方位を有する所定の適用力を適用することができる。上記の例を続けると、サドルモジュール６２０を起動させて、大略的に所定の適用力方向に方向づけられた所定の適用力で、レイアップ構造体６９０の第１の選択可能な割り出し位置とレイアップ６３０の第１の領域を接触させることができる。
【００５７】
第２の選択可能な割り出し位置に到達する（Ｓ５３０）まで、対応する適用幅にわたって所定の適用経路に沿って圧力の移動領域を漸進的に印加することができる。この圧力の移動領域は、圧力の領域６９５Ａに近接して、レイアップ６３０の一部を押し付けて、レイアップ構造体６９０の対応する選択可能な割り出し位置（６８０と類似）と強制的に接触させる。圧力の移動領域６９５Ａは、所定の適用力方向（例えば、中心線６９２に向かって軸方向に内方に、図６及び図７）に方向づけることができる所定の適用力で押し付けることができる。圧力の移動領域６９５Ａは、所定の適用速度で所定の適用経路６９５を大略的に横行する。所定の適用力は、大略的にレイアップ構造体基準軸６９２に略軸方向に内方に方向づけすることができるが、特定の実施形態においては、例えば、特定の輪郭プロファイルに適合することが望ましいと考えられるように、異なる軸方向の方位を有する所定の適用力を印加することが望ましいであろう。
【００５８】
第２の選択可能な割り出し位置（例えば、６８０）に到達すると、圧力の移動領域６９５Ａは、レイアップから解放される（Ｓ５４０）（即ち、適用力が解除される）。一般に、所定の適用経路６９５にわたって所定の適用力を均一に押し付けるか、圧力の移動領域６９５Ａにわたって所定の適用力を選択的に配分するか、またはこの両方を行なうことが望ましい可能性があり、これによって、結果的に実質的に不一致がない可能性があるレイアップ適用が行われる場合がある。
【００５９】
一般性を失うことなく、かつ、図６〜図８を参照すると、予め規定された基準系６６０は、３次元の空間的基準系として例示することができ、このシステムは、長手軸（Ｘ）６６２、横軸（Ｙ）６６４、垂直軸（Ｚ）６６６に沿って延在することができる。予め規定された基準系６６０内では、規定された水平面（ＸＹ）６６１、横垂直面（ＹＺ）６６３、長手方向垂直面（ＸＺ）６６５もあるとすることができる。しかしながら、関連の空間的、軸方向、または平面の構成概念を含め、予め規定された基準系６６０は、例示のために限り提示されているものであり、かつ、極座標基準系を表すものを含め（これらに限定されない）、他の構成概念を用いることができることを理解しなければならない。簡素化のため、かつ、制限なしに、本発明の装置及び方法の実施形態は、機体構造体、特に、商用輸送機胴体について例示するが、これらに限定されない。
【００６０】
図６を参照すると、例示的なレイアップ配置装置（これ以降）ＬＰＡ  ６００は、基準基部６１０と、整合フレーム６１５と、サドルモジュール６２０と含むことができ、かつ、レイアップ構造体６９０製作中に使用することができる。このような製作は、レイアップ構造体長に沿って（Ｘ軸６６２）に沿った予め規定された各種位置にて、レイアップ６３０などの、１つまたはそれ以上の予め選択された複合材料レイアップをレイアップ構造体６９０に選択的に適用する（または同等に配置する）ことを含むことができる。望ましくは、基準基部６１０は、施設基礎６０５にしっかりと固着することができ、その結果、予め規定された基準場所６５０が確立され、及び、拡張により、予め規定された基準系６６０に対応する規定された作業空間とが確立される。一般に、レイアップ構造体６９０は、規定された作業空間内で方向づけられる。特に、予め規定された基準場所６５０は、規定された作業空間内の公知の位置をはっきりと定めると共に、規定された作業空間内の任意の地点または領域の確実なかつ繰り返し可能な決定の基盤を成すものである。
【００６１】
したがって、人間のオペレータまたは場所を認識する機械は、予め規定された基準場所６５０を利用して、レイアップ構造体６９０に対して、物、例えば、サドルモジュール６２０を正確に規定された作業空間内に位置決めし、かつ、レイアップ構造体６９０に対応する各種の所望の地点を正確に突き止めることができる。場所を認識する機械は、図２のＣＮＣシステム２５０など、ＣＮＣシステムにより案内されるロボットとすることができる。レイアップ構造体６９０は、予め規定された基準場所６５０に対して、規定された作業空間内の一定の位置に保持することができ、かつ、Ｘ軸６６２と長手方向に位置合わせすることができる。特定の整合位置を縦軸（Ｘ）６６２に沿って選択することができ、対応する局所的な基準系は、大略的に、横垂直面（ＹＺ）６６３内に規定される。更に、局所的な基準系は、特定のレイアップ適用経路に対応することができ、選択可能な割り出し位置は、レイアップ構造体６９０上で適用経路内に規定される。
【００６２】
サドルモジュール整合位置及びレイアップ割り出し位置が選択可能であることにより、レイアップ構造体６９０への予め規定されたレイアップの正確な適用が促進されるばかりでなく、このように選択可能であることにより、機体サイズ、構成、材料、または仕様の変化と共に発生する恐れがあるように、作業空間内でのＬＰＡ  ６００の各種実施形態の再構成が容易になる。各種実施形態によれば、ＬＰＡ  ６００は、再構成することができ、しかも、基準場所６５０に固定されており、かつ、予め規定された空間的基準系６６０を空間的に基準とすることに変りはない。更に、異なる製造部品の製造作業間で、ＬＰＡ  ６００を再構成することができ、かつ、例えば、基準基部６１０を基礎６０５上の異なる基準場所に固定することにより、異なる空間的基準系を基準とすることができる。このような例においては、改めて基準としたＬＰＡ  ６００は、先述したように、新たに規定された空間的基準系内で再構成することができる。
【００６３】
レイアップ構造体６９０は、少なくともある程度、外隔または外皮により長手方向に封入された細長航空構造体とすることができる。整合フレーム６１５は、大略的に、基準軸６６２、例えば、縦軸に沿って延在することができ、かつ、基準基部６１０にしっかりと装着すると共に位置合わせすることができ、その結果、整合位置の特定及び選択が容易になる。サドルモジュール６２０は、予め選択された整合位置６７５など、選択可能な整合位置と位置合わせの状態で整合フレーム６１５と係合することができ、かつ、選択可能な整合位置に対応する横垂直面（ＹＺ）内で長手方向に方向づけることができる。レイアップ構造体６９０は、基準軸６６２に沿って各予め選択された整合位置６７５に対応するそれぞれの所定の輪郭プロファイルにより特徴づけることができる。予め選択された整合位置６７５にてなど、各選択可能な整合位置にて、所定の適用経路を描くことができ、所定の適用方向は、大略的に、開始適用位置と終了適用位置との間でレイアップ構造体６９０上に規定される。開始適用位置及び終了適用位置の各々は、選択可能な割り出し位置、例えば、予め選択された割り出し位置６８０であることが望ましい。
【００６４】
サドルモジュール６２０は、レイアップ６３０を支持するように、かつ、レイアップ６３０を保持するように構成することができ、かつ、所定の適用経路６９５に沿ってレイアップ構造体６９０に予め規定されたレイアップ６３０（あるいは、レイアップ）の適用を容易にすることができ、所定の適用経路は、予め選択された整合位置６７５にて規定することができる。レイアップ６３０は、制限なしに、薄板、パネル、パッチ、または外皮重ね板（skin doubler）の形とすることができる。また、レイアップ６３０は、単層（１層）または多層（複層）構造を有する、適切な複合材料製とすることができる。レイアップ６３０は、適用前には一般的に平坦であるが、輪郭に合わせ及び／またはテーパー処理することができるレイアップ構造体６９０の特定の部分への適用に向けてサイズ決定及び成形することができる。レイアップ６３０は、ポート、ハッチ、またはドアを含むがこれらに限定されないレイアップ構造体特長部に対応するプリカット形材を含むことができる。例えば、かつ、制限なしに、レイアップ６３０は、レイアップ構造体６９０上の貨物口開口部に対応する応力発生場所を補強することを目的とした、予成形した真空圧密（vacuum compacting）処理６層複合積層外皮重ね板とすることができる。レイアップ６３０は、予め選択された整合位置６７５など、レイアップ構造体６９０に沿った選択可能な整合位置に対して方向づけることができる。
【００６５】
レイアップ６３０は、レイアップ６３０の適用前の処理及びレイアップ構造体６９０へのレイアップ６３０のその後の適用を容易にするために担持体６３１上で支持することができる。一般に、担持体６３１は、サドルモジュール６２０に解放可能に装着するように構成することができる。担持体６３１は、レイアップ６３０を受け止めるように成形され、かつ、レイアップ６３０がレイアップ構造体６９０上に配置された後に分離するように構成された屈撓可能な金属板とすることができる。担持体６３１は、サドルモジュール６２０上で選択可能な方位で、例えば、レイアップ構造体６９０上の予め選択された割り出し位置６８０に対応する選択可能な割り出し方位にレイアップ６３０を保持するように構成された割り出し要素を有することができる。レイアップ６３０と担持体６３１とで、レイアップキット（図２の２２１など）を構成することができ、このキットは、作業空間から離れた場所で以前に準備されていてもよい。
【００６６】
一般に、サドルモジュール６２０は、多関節位置設定器６２２と、サドル基部６２６と、支持フレーム６２８とを含むことができる。多関節位置設定器６２２は、大略的に基準（Ｙ）軸６６４、例えば、横軸に沿って横行するように長手方向に方向づけることができ、かつ、予め選択された整合位置６７５にて、軸６６２に対して、レイアップ構造体６９０より下方に位置決めすることができる。特定の実施形態においては、多関節位置設定器６２２は、各々がサドル基部６２６寄りのそれぞれの近位端に枢着される、位置設定器アーム６２４、６２５を含むように構成することができる。位置設定器アーム６２４、６２５は、一般的に、レイアップ構造体６９０に対して、左右対称にかつ補完的に配置、制御、位置決め、かつ操作される。しかしながら、選択実施形態においては、サドルモジュールは、位置設定器アーム６２５から独立して位置設定器アーム６２４を制御、位置決め、及び操作することを可能にするように構成することができる。支持フレーム６２８は、位置設定器アーム６２４、６２５のそれぞれの遠位部分に装着することができる。更に、支持フレーム６２８は、操作中にレイアップキット２２１（例えば、担持体６３１上に解放可能に取り付けられたレイアップ６３０）を保持するように構成することができ、かつ、例えば、担持体６３１上の割り出し要素を使用して、レイアップキットの割り出しを行なうことができ、その結果、レイアップ６３０は、支持フレーム６２８上で、レイアップ構造体６９０に対して選択可能な割り出し方位で抑制される。
【００６７】
有利なことに、この割り出しは、レイアップ６３０上の領域がレイアップ構造体６９０上の予め選択された割り出し位置６８０に対応することができるように、予め選択された整合位置６７５にて規定されるように、局所的な基準系内で行なわせることができる。予め選択された割り出し位置６８０は、大略的に、予め選択された整合位置６７５に対応し、予め選択された整合位置６７５は、予め選択された割り出し位置６８０に対応する空間的位置をはっきりと判断することができるように、予め規定された基準場所６５０に対応させることができる。一般に、位置設定器アーム６２４、６２５は、レイアップ６３０が、例えば、予め選択された割り出し位置６８０にて、予め規定された基準場所６５０に対してレイアップ構造体６９０に正確に接触することができるように、レイアップ構造体６９０に向かって内旋することができる。予め選択された割り出し位置６８０は、水平面６６１、横垂直面６６３、長手方向垂直面６６５、これらの所定の組み合わせに対応する面、または予め規定された空間的基準系６６０内に規定された任意の他の面を含むがこれらに限定されない、予め規定された空間的基準系６６０内の１つまたはそれ以上の選択された基準面に対応することができる。
【００６８】
整合フレーム６１５は、サドルモジュール６２０を支持することができ、かつ、基準軸６６２に対して、レイアップ構造体６９０に沿ってこの位置決めし直しを容易にすることができる。一般的に、サドルモジュール６２０は、横方向に整合フレーム６１５と係合することができる。有益なことに、サドルモジュール６２０は、予め選択された整合位置６７５にてなど、整合フレーム６１５上で選択可能な整合位置にて、予め規定された基準場所６５０に対して、移動及び位置決めすることができる。サドルモジュール６２０は、軸６６２に沿って予め選択された整合位置６７５まで手動で移動させることができ、かつ、コンピュータ制御式位置決め機械を使用して、長手方向の位置決めの自動化に適合させることもできる。サドルモジュール６２０は、位置決めされたら、サドルモジュール６２０の動きを実質的に防止することができるように、例えば、ボルト留め、締め付け、または他の固定により、整合フレーム６１５にしっかりと固着することができる。
【００６９】
予め選択された整合位置６７５など、整合位置は、整合フレーム６１５に付着された印６１７、機械式割り出し装置、または、電気式、電気光学式、または電気機械式の位置センサーを含むがこれらに限定されない、当技術分野で公知である機械式及び電子式な方法で定めることができる。選択実施形態においては、ＬＡＰ  ４００は、Ｘ軸６６２に沿って配置された複数のサドルモジュール６２０を有するように構成することができる。更に、整合フレーム６１５は、整合フレームモジュールを軸６６２に沿って接合または除去することができるようにモジュール式に構成することができ、その結果、特定のレイアップ作業またはレイアップ構造体に適応するように整合フレーム６１５の長さが適合される。有益なことに、整合フレーム６１５は、更なるサドルモジュール６２０の装着及び除去を容易にするために解放端部を付して構成することができる。したがって、ＬＰＡ  ６００は、所定の適用経路６９５に沿って所定の適用力速度にて、かつ、印加される所定の適用力で、予め選択された割り出し位置６８０に対してレイアップ構造体６９０上にレイアップ６３０を配置するように操作することができる。図８のＬＰＡ  ８００に関して説明するように、ＬＡＰ  ４００は、各々がそれぞれの整合位置に移動されることができる、サドルモジュール６２０など、複数のサドルモジュールに対応するように構成することができる。一般的に、各移動可能なサドルモジュール６２０は、それぞれの選択可能な整合位置６７５にて位置決めすることができ、各々は、それぞれの予め選択された整合位置６７５に対応するそれぞれの割り出し位置６８０にそれぞれのレイアップ６３０を保持することが可能とすることができる。
【００７０】
図７は、サドル基部７１０と、位置設定器組立体７２０と、支持フレーム７３０と、位置設定器移動組立体７４０と、力印加器組立体７５０とを含む、サドルモジュール７００の実施形態を例示する。このサドルモジュール７００は、例えば、図６のＬＰＡ  ６００内のサドルモジュール６２０として実行することができる。例示上、サドルモジュール７００は、予め規定された空間的基準系６６０を空間的に基準とする。位置設定器組立体７２０は、第１の位置設定器アーム７２２と第２の位置設定器アーム７２３を含む多関節位置設定器とすることができる。便宜上、位置設定器７２０の作動は、第１の位置設定器アーム７２２について説明する。しかしながら、位置設定器アーム７２２及び７２３の各々は、第１の位置設定器アーム７２２に関する説明も第２の位置設定器アーム７２３に関係することができるように、構造が全く同じであり、かつ、機能において補完的であるとすることができる。
【００７１】
第１の位置設定器アーム７２２は、位置設定器近位アーム部分７２４と、位置設定器遠位アーム部分７２６とを含む。一般的に、位置設定器組立体７２０は、例えば、サドルモジュール７００が復帰されたときに、横軸（Ｙ）６６４に長手方向に対応し、位置設定器アーム７２２は、略平坦に静置される。第１の位置設定器アーム７２２の位置設定器近位アーム部分７２４は、遠位位置設定器アーム部分７２６が局所的ＹＺ面６６３内で移動することを可能にするためにサドル基部７１０に枢着されることができる。また、位置設定器組立体７２０は、割り出しピン７２５など、１つまたはそれ以上の割り出し要素を含むことができ、この要素は、担持体７９１上の割り出し要素と結合して、レイアップ７９０が、レイアップ構造体６９０上の予め選択された割り出し位置６８０など、選択可能な割り出し位置と位置合わせすることができるように、レイアップ構造体に対してレイアップ７９０の位置決めを制約する。レイアップ７９０及び担持体７９１は、それぞれ、レイアップ６３０及び担持体６３１を表すことができる。
【００７２】
一般に、支持フレーム７３０は、適用前及び適用中にレイアップキット（例えば、レイアップ７９０及び担持体７９１）を支持することができ、かつ、第１の位置設定器アーム７２２と第２の位置設定器アーム７２３との間に緊張可能に装着された１つまたはそれ以上の支持ストラップ７３４を含むことができる。一般的に、ストラップ７３４の各端部は、第１の位置設定器アーム７２２上の保持器７３２などの、保持器によりそれぞれの位置設定器アームに装着される。ストラップ７３４は、ばね付勢式緊張体により保持器７３２と調整可能に緊張状態に保持することができ、例えば、ばね付勢式緊張体７３６は、保持器７３２と調整可能に緊張状態にストラップ７３４の一端を保持することができる。言うまでもなく、他の支持構造体を支持フレーム７３０に装着することができ、例えば、メッシュ、ベルト、または他の屈撓可能な部材、または任意の他の形態の緊張体を使用することができる。一般的に、支持ストラップ７３４は、適用中に担持体７９１を適切に支持するように構成されており、担持体７９１は、レイアップ７９０を支持する。
【００７３】
位置設定器移動組立体７４０は、軸６６２に対して位置設定器アーム７２２に軸方向の動きを与えるようにリンクさせることができる。例示的な位置設定器移動組立体７４０は、第１の位置設定器アーム７２２毎に少なくとも１つのピストン付きのシリンダ７４２を含むことができる。ピストン付きのシリンダ７４２は、公知の油圧または空圧技法を用いて、またはこれらの組み合わせにより、加圧流体で位置設定器アーム７２２を起動させることができる。したがって、位置設定器移動組立体７４０は、起動されたとき、サドル基部７１０から離れるように位置設定器アーム遠位部分７２６を軸方向に駆動させて、その結果、支持フレーム７３０、及び、拡張により、レイアップ７９０は、レイアップ構造体６９０に向かって付勢されて、かつ、レイアップ構造体６９０と強制的に接触する。一般的に、位置設定器組立体７２０は、起動中にレイアップ構造体６９０の方に上昇して、大略的に、対応する所定の適用経路上の開始適用地点を表す、レイアップ構造体６９０の第１の選択可能な割り出し位置とレイアップ７９０の領域を接触させる。
【００７４】
力印加器組立体７５０は、保持され、かつ、位置設定器アーム７２２に沿って略長手方向に案内される少なくとも１つの力印加器７５２を含むことができる。例示的な力印加器７５２は、台車７５６を装着することができる案内支柱７５４を含むことができる。案内支柱７５４は、長手方向の位置設定器アーム案内軌道７２８と係合するように構成されている案内移動器７５５を含むことができる。案内移動器７５５を起動させて、例えば、電動機により、所定の適用経路に沿って所定の適用方向に、かつ、所定の適用速度にて位置設定器アーム案内軌道７２８を横行するように起動されることができる。更に、所定の適用経路に沿った移動を容易にするために複数のローラ７５８を台車７５６に装着することができる。案内移動器７５５は、流体圧力、例えば、空気圧、を採用して、案内支柱７５４の位置を調節したり、かつ、位置設定器アーム７２２に直角な軸に沿って案内支柱７５４を介して所定の適用力を台車７５６に印加したりすることができる。加圧流体による起動は、適切に大きな力でレイアップ構造体６９０上でレイアップ７９０を押し付けることが望まれる場合に有益であろう。
【００７５】
複数のローラ７５８は、レイアップキットを覆う力印加器組立体７５０の均一な動きを容易にするために台車７５６に装着することができる。好都合なことに、ローラ７５８は、台車７５６から担持体７９１及びレイアップ７９０に所定の適用力を伝達して、例えば、予め選択された割り出し位置６８０にて、所定の適用経路に沿った種々の地点にてレイアップ７９０をレイアップ構造体６９０に強制的に接触させるために移動する、かつ略均一な圧力領域を生成する。レイアップ７９０とレイアップ構造体６９０との強制的接触は、大略的に所定の適用力方向に方向づけられる所定の適用力で行なうことができる。所定の適用力は、略軸方向に内方にレイアップ構造体６９０の中心線６９２に方向づけることができるが、力印加器組立体７５０は、例えば、特定の輪郭プロファイルに適合することが望ましいと考えられるように、異なる軸方向の方位を有する所定の適用力を印加するように操作することができる。ローラ７５８は、所定の適用経路を横行しながら、適切な圧力の移動領域を規定するために離間することができ、有利なことに、担持体３９１と協働して台車７５６からレイアップ７９０に伝達された力を選択的に分配するように構成することができる。
【００７６】
案内移動器７５５は、予め選択された整合位置６７５に対応する所定の適用経路を横行するときに、位置設定器アーム案内軌道７２８に沿って円滑で漸進的な動きを行なうように構成することができる。案内移動器７５５は、所定の適用力方向にレイアップ７９０上で所定の適用力を均一に押し付けるように構成することができる。圧力の移動領域は、所定の適用経路の長さにわたって連続的にレイアップ７９０に適用することができ、かつ、対応する所定の適用経路の端末適用地点を表す第２の選択可能な割り出し位置にて解放することができる。レイアップ７９０が端末適用地点に適用された後、第１の位置設定器アーム７２２及び第２の位置設定器アーム７２３は、解放されて、遠位位置設定器アーム部分７２６がレイアップ構造体６９０から外転する。レイアップ７９０がレイアップ構造体６９０に適用された後、担持体３９１は、サドルモジュール７００からの除去を容易にするために、支持フレーム７３０上に保持し、レイアップ構造体６９０から引き抜いて、略平坦に静置することができる。１つまたはそれ以上の更なるレイアップをその後にそのように適用することができる。強制接触が均一に行われるため、レイアップ７９０は、実質的に不一致がない方法でレイアップ構造体６９０上に配置することができる。
【００７７】
サドルモジュール７００は、対称形に作動するように構成することができ、これにより、位置設定器アーム７２２の位置決め、作動及び機能は、位置設定器アーム７２３より補完的に適合させるが、サドルモジュール７００の特定の実施形態は、第２の位置設定器アーム７２３から独立して第１の位置設定器アーム７２２を操作するように構成することができる。例えば、位置設定器アーム７２２は、第２の位置設定器アーム７２３が静置されている間に、第１の位置設定器アーム７２２に近接してレイアップキットをレイアップ構造体６９０に配置するように操作することができる。同様に、サドルモジュール７００の特定の実施形態は、第１の所定の適用力を第１の位置設定器アーム７２２を経由して印加することができ、第２の所定の適用力を第２の位置設定器アーム７２３を経由して印加することができるように操作することができる。したがって、サドルモジュール７００は、所定の適用力方向に方向づけると共に所定の適用速度にて印加することができる所定の適用力で、所定の適用経路に沿ってレイアップ構造体６９０上にレイアップ７９０を配置するために力印加器組立体７５０を使用することができる。
【００７８】
図８は、図６のＬＰＡ  ６００と機能的に類似のものであるとすることができるＬＰＡ  ８００の実施形態を例示する。ＬＰＡ  ８００は、長手方向に接合して略一斉に機能するように構成することができる複数のサドルモジュール８１０〜８ｌ５を含むことができる。ＬＰＡ  ８００は、例えば、レイアップ構造体６９０のより大きい部分にわたる大型レイアップ８３０の適用に対応するために望ましいものとすることができる。モジュール８１０〜８ｌ５の各々は、図６のサドルモジュール６２０及び図７のサドルモジュール７００と構造的かつ機能的に類似のものとすることができる。したがって、ＬＰＡ  ８００は、レイアップ６３０より広いレイアップ８３０（即ち、レイアップ構造体６９０のより大きな部分を覆う）を配置することができ、その結果、レイアップ構造体６９０上へのプリカット多層複合材料の多数の大型レイアップ８３０の迅速な適用が容易になる。ＬＰＡ  ８００は、図６の整合フレーム６１５と類似の、１つまたはそれ以上の整合フレームから軸６６２に沿って構成することができるモジュール式整合フレーム８５０を含むこともできる。サドルモジュール８１０〜８ｌ５は、接合すると、基準軸６６２に沿って整合フレーム８５０上の所定の整合位置８７５まで一斉に移動させることができる単一のサドルモジュールを形成することができる。しかしながら、ＬＰＡ  ８００の選択実施形態は、例えば、レイアップ構造体６９０の長手方向に変動する輪郭プロファイルに合うように、サドルモジュール８１０〜８ｌ５の独立して作動可能な実施形態を採用することができる。
【００７９】
複数のサドルモジュール８１０〜８ｌ５有するＬＰＡ  ８００など、ＬＰＡの例示的な試作品を使用して、かつ、図４のＬＡＰ  ４００などの方法を用いて、レイアップ８３０など、大型試作レイアップは、数分以内に、かつ、実質的に不一致がなかった方法で、航空機レイアップ構造体６９０を表す筒体状構造体上に配置することができる。上述した試作レイアップは、試作割り出し担持体上に配置したものであり、１２フィート×１５フィート（約３６０ｃｍｘ約４５０ｃｍ）の概略寸法を有し、６層複合レイアップを含み、プリカット特長部を担持するものであった。例示的な試作品は、配置重量が５０ポンド／時間を下回る恐れがある従来のＡＦＰ機械及び技法と対照的に、約１０００ｌｂｓ／時間を上回る複合材料を筒体上に配置することができた。有利なことに、本明細書で説明している装置及び方法に従って使用したレイアップ、適用前に切断、仕上げ、及び検査を行なうことができ、潜在的に、材料廃棄及び適用後の操作の低減と共に、製造構造体の迅速な製作を容易にすることにより製造費が低減される。更に、本発明で実施する装置及び方法は、機体製作に関連したＡＦＰ機械がより連続的に稼動することを可能にすることができ、その結果、全体的な製造効率が増大する。
【００８０】
更に、レイアップ構造体は、開示する装置、方法、またはこれらの両方を用いて配置した予めキット化したレイアップを有した後、レイアップ周りに巻設されかつレイアップ構造体を取り囲む１つまたはそれ以上の強化繊維層を有することもでき、ＡＦＰ機械は、現行の装置及び方法に対して、連続性が増大して稼動することができる。
【００８１】
図９Ａ〜図９Ｅは、レイアップ構造体６９０への適用に適切な、多層レイアップを含む予め選択されたレイアップキットの例示的な実施形態を示す。レイアップキット９００、９２０、９４０、９６０、９８０の各々は、それぞれのレイアップを形成することができる担持体９９０及び解放層９９１を含む。一般的に、それぞれのレイアップは、担持体９９０の表向き面で形成され、解放層９９１は、担持体９９０とそれぞれのレイアップとの間に挿入される。レイアップキット９００、９２０、９４０、９６０、９８０の１つまたはそれ以上内のレイアップ薄層の１つまたはそれ以上は、強化繊維樹脂マトリクス材、金属間マトリクス複合材料、金属マトリクス複合材料、セラミック複合材料、または金属または金属合金材料から製作することができるが、他の適切なマトリクスシステムを採用することができる。
【００８２】
図９Ａにおいては、レイアップキット９００は、６種類の薄層９０１〜９０６が担持体９９０の表向き面上に形成された多層レイアップを有すると示されている。レイアップ（薄層９０１〜９０６）は、積み重ね構成で配設され、薄層９０１は最上薄層であり、薄層９０６は最下薄層である。担持体９９０上に製作されたとき、薄層９０６は、静置された第１のレイアップ層とすることができ、連続して薄層９０１まで進む。レイアップ構造体６９０など、レイアップ構造体上に配置されたとき、薄層９０１は、レイアップ構造体６９０に最も近接して配置することができ、薄層９０６は、レイアップ構造体表面に対して最外部の薄層とすることができる。
【００８３】
図９Ｂは、レイアップキット９２０が、６種類の薄層９２１〜９２６が担持体９９０の表向き面上に形成された積み重ね式多層レイアップを含む代替実施形態を示す。レイアップキット９２０においては、薄層９２１は、最上薄層とすることができ、薄層９２６は、最下薄層とすることができる。担持体９９０上に製作されたとき、薄層９２６は、静置された第１のレイアップ層とすることができ、連続的に薄層９２１まで続く。レイアップ構造体上に配置されたとき、薄層９２１は、レイアップ構造体６９０に最も近接して配置することができ、薄層９２１は、レイアップ構造体表面に対して最外部の薄層とすることができる。
【００８４】
内部に適用された重ね板など、一部の適用においては、突然の遷移は、問題なしとすることができる。しかしながら、機体外部に対応するレイアップ構造体表面に適用されるレイアップなど、他の適用において、突然の薄層遷移にわたって滑らかになった表面を実現し、その結果、薄層間の接着及び他の特性を向上させることが望ましいであろう。表面を滑らかにすると、外皮重ね板など、外部レイアップの空力的特性を向上させることができる。突然の薄層遷移の例としては、多層、積み重ねレイアップ、または、多層挟持レイアップを挙げることができる。レイアップキット９００及び９２０は、積み重ね構成によるレイアップの例とすることができる。
【００８５】
図９Ｃは、担持体９９０の表向き面上に挟持構成で形成された６種類の薄層９４１〜９４６を有するレイアップキット９４０を例示する。レイアップキット９４０においては、薄層９４１は最上薄層とすることができ、薄層９４６は最下薄層することができる。担持体９９０上に製作されたとき、薄層９４６は、静置された第１のレイアップ層とすることができ、連続して薄層９４１まで進む。レイアップ構造体上に配置されたとき、薄層９４１は、レイアップ構造体６９０に最も近接して配置することができ、薄層９４６は、レイアップ構造体表面に対して最外部の薄層とすることができる。薄層９４３及び９４４では、単一の段付き遷移部が形成される。レイアップキット９４０では、例えば、薄層９４３〜９４４からの突然の遷移部にわたる薄層９４１及び９４２など、１つまたはそれ以上の層を重ね合わせることにより、滑らかになった表面が得られる。
【００８６】
図９Ｄは、担持体９９０の表向き面上に挟持構成で形成された６種類の薄層９６１〜９６６を有するレイアップキット９６０を例示する。レイアップキット９６０においては、薄層９６１は最上薄層とすることができ、薄層９６６は最下薄層することができる。担持体９９０上に製作されたとき、薄層９６６は、静置された第１のレイアップ層とすることができ、連続して薄層９６１まで進む。レイアップ構造体上に配置されたとき、薄層９６１は、レイアップ構造体６９０に最も近接して配置することができ、薄層９６６は、レイアップ構造体表面に対して最外部の薄層とすることができる。薄層９６３及び９６４では、複数の段付き遷移部が形成される。レイアップキット９６０では、例えば、薄層９６３〜９６４により形成された遷移部にわたる薄層９６１及び９６２など、１つまたはそれ以上の層を重ね合わせることにより、滑らかになった表面が得られる。
【００８７】
図９Ｅは、担持体９９０の表向き面上に挟持構成で形成された６種類の薄層９８１〜９８６を有するレイアップキット９８０を例示する。レイアップキット９８０においては、薄層９８１は最上薄層とすることができ、薄層９８６は最下薄層することができる。担持体９９０上に製作されたとき、薄層９８６は、静置された第１のレイアップ層とすることができ、連続して薄層９８１まで進む。レイアップ構造体上に配置されたとき、薄層９８１は、レイアップ構造体６９０に最も近接して配置することができ、薄層９８６は、レイアップ構造体表面に対して最外部の薄層とすることができる。薄層９８３及び薄層９８４ａ、９８４ｂには、単一の段付き遷移部が形成される。薄層９８４ａ及び９８４ｂには、レイアップキット９８０に層不連続部がある。薄層９８３は、層不連続部に関係する不一致を改善することができる重ね合わせ積層化を実現している。更に、レイアップキット９８０では、例えば、薄層９８３〜薄層９８４ａ、９８４ｂにより形成された遷移部にわたる薄層９８１及び９８２など、１つまたはそれ以上の層を重ね合わせることにより、滑らかになった表面が得られる。
【００８８】
図９Ｆは、担持体９９０の表向き面上に挟持構成で形成された６種類の薄層９７１〜９７６を有するレイアップキット９７０を例示する。レイアップキット９７０においては、薄層９７６は最上薄層とすることができ、薄層９７１は最下薄層することができる。担持体９９０上に製作されたとき、薄層９７１は、静置された第１のレイアップ層とすることができ、連続して薄層９７６まで進む。レイアップ構造体上に配置されたとき、薄層９７６は、レイアップ構造体６９０に最も近接して配置することができ、薄層９７１は、レイアップ構造体表面に対して最外部の薄層とすることができる。薄層９７４〜９７６には、複数の段付き遷移部が形成される。レイアップキット９７０では、例えば、薄層９７４〜９７６にわたる薄層９７３など、１つまたはそれ以上の層を重ね合わせることにより、滑らかになった表面が得られる。薄層９７２が薄層９７３〜９７６を覆うように適用すると、別の不連続部が発生する。
【００８９】
薄層９７１は、薄層９７１、９７２と薄層９７３〜９７６を結合する実際的な効果を与えることもできる薄層９７２の上の円滑化層として適用することができる。薄層９７３〜９７６は、例えば、胴体レイアップを表すことができ、薄層９７１、９７２は、例えば、胴体レイアップを覆うように適用される外皮重ね板レイアップを表すことができる。薄層９７１、９７２及び薄層９７３〜９７６は、単一の担持体上で製作されると示されている。しかしながら、本発明の装置及び方法では、薄層９７１、９７２をその後に薄層９７３〜９７６に適用することができるように、少なくともある程度、第２のレイアップ上に適用される第１のレイアップが企図されている。このような適用においては、第１のレイアップキットを使用して、薄層９７３〜９７６を初めにレイアップ構造体に適用することができ、薄層９７１、９７２は、第１のレイアップ９７３〜９７６の少なくとも一部に適用される第２のレイアップを表す。
【００９０】
選択実施形態においては、膨らみの突出、つまり膨出面を示す恐れがある、キット９００、９２０、９４０、９６０、または９８０のそれぞれのレイアップなど、多層レイアップの最内部薄層を受け止め及び／または収容するように修正された表面を有する総形工具を実現することが望ましいであろう。更に、外部レイアップ構造体表面を滑らかにしかつ流線形に整えることにより、とりわけ空気抵抗を低減するように、航空機の外部空力面に近接すると考えられるレイアップの最外部薄層を加工することができる。
【００９１】
図１０Ａにおいては、輪郭に合わせたマンドレル１０１０は、多層レイアップ１０２０を受け入れるように修正された表面を有する総形工具を表す。レイアップ１０２０は、図９Ｂのレイアップキット９２０が設置されたレイアップと類似のものであり、かつ、急な多段不連続面を有することができる。このような輪郭に合わせた面を有する総形工具の構成は、マンドレル１０１０に対応する機体部分上のドア、ポート、ハッチ開口上に、外皮重ね板など、多層レイアップ１０２０を配置することができる場合、及び、機体構造体の残りに対して結果的に得られる機体表面の流線形を維持することが望ましい場合に望ましいであろう。ＬＡＰ  ４００、方法５００、またはＬＰＡ  ６００、７００、または８００の１つまたはそれ以上は、マンドレル１０１０など、輪郭に合わせた表面の総形工具と共に使用することができる。
【００９２】
図１０Ａに示すように、実施形態では、マンドレル１０１０に直に設置されるレイアップ１０２０を有する。その後、ＡＦＰは、レイアップ構造体３００を覆うように１０４０を適用することができる。図１０Ｂに示す別の実施形態は、レイアップ１０２０を定める前に少なくとも１つの層１０５０がＡＦＰによりマンドレル１０１０に適用され、その後、残りの層１０４５がＡＦＰにより適用される。図１０Ｃに示す別の実施形態では、レイアップ１０２０を定める前に複数の層１０６０がＡＦＰによりマンドレル１０１０に適用され、その後、残りの層１０７０がＡＦＰにより適用されるとすることができる。図１０Ｄに示す別の実施形態では、層１０８０の実質的に全てがＡＦＰによりマンドレル１０１０に適用され、レイアップ１０２０が層１０８０に適用され、その後に少なくとも層１０９０がＡＦＰにより適用される。
【００９３】
図１０Ａに示すように、マンドレル１０１０は、レイアップ１０２０を収容するためにこの外面までマンドレル収容部１０３０を含む。マンドレル収容部１０３０は、対応する予め選択されたレイアップ１０２０に結合するようにサイズ決定及び形成される。マンドレル収容部１０３０により、先述した実施形態によるレイアップ構造体３００上のレイアップ１０２０の設置が可能であり、結果的に、完成レイアップ構造体３００の外面に膨れ、膨出部または突出部がなく滑らかな外面が得られる。膨れ、膨出部、または突出部は、完成レイアップ構造体３００の内面上に位置する。
【００９４】
マンドレル収容部１０３０は、対応する予め選択されたレイアップ１０２０と結合するように任意の適切な方法で設置及び／または方向づけることができる。図１１に示すような実施形態は、マンドレル１０１０上に位置する５つのマンドレル収容部１１３０Ａ〜１１３０Ｅを有する。
【００９５】
上述した各種実施形態は、本開示内容を例示するがこれに限定するものではない。また、本発明の諸原理に従って数多くの修正及び変更が可能であることを理解されたい。したがって、本発明の範囲は、以下の特許請求の範囲によりのみ規定される。
【図面の簡単な説明】
【００９６】
【図１】本発明による航空機製作方法のフローチャートである。
【図２】本発明による、一体化レイアップ適用の説明図である。
【図３】本明細書の教示内容による、レイアップ構造体に反復的に適用することができる複数のレイアップの図である。
【図４】本発明の実施形態による、レイアップ適用方法を表すフローチャートである。
【図５】図４に示す方法の実施形態に関連してサドルモジュールレイアップ適用の実施形態を示すフローチャートである。
【図６】本発明の実施形態による、レイアップ配置装置の説明図である。
【図７】図６の装置により使用することができるサドルモジュールを示す図である。
【図８】本発明の別の実施形態によるモジュール式レイアップ配置装置を示す図である。
【図９Ａ】本明細書の教示内容に従って適用することができるレイアップの例を示す図である。
【図９Ｂ】本明細書の教示内容に従って適用することができるレイアップの例を示す図である。
【図９Ｃ】本明細書の教示内容に従って適用することができるレイアップの例を示す図である。
【図９Ｄ】本明細書の教示内容に従って適用することができるレイアップの例を示す図である。
【図９Ｅ】本明細書の教示内容に従って適用することができるレイアップの例を示す図である。
【図９Ｆ】本明細書の教示内容に従って適用することができるレイアップの例を示す図である。
【図１０Ａ】開示する装置及び方法の実施形態に関連して使用することができる輪郭面形成工具を示す図である。
【図１０Ｂ】開示する装置及び方法の実施形態に関連して使用することができる輪郭面形成工具を示す図である。
【図１０Ｃ】開示する装置及び方法の実施形態に関連して使用することができる輪郭面形成工具を示す図である。
【図１０Ｄ】開示する装置及び方法の実施形態に関連して使用することができる輪郭面形成工具を示す図である。
【図１１】本明細書の教示内容による、レイアップ構造体に反復的に適用することができる複数のレイアップを示す図である。
【図１】
0005241322.tif 000002
【図２】
0005241322.tif 000003
【図３】
0005241322.tif 000004
【図４】
0005241322.tif 000005
【図５】
0005241322.tif 000006
【図６】
0005241322.tif 000007
【図７】
0005241322.tif 000008
【図８】
0005241322.tif 000009
【図９Ａ】
0005241322.tif 000010
【図９Ｂ】
0005241322.tif 000011
【図９Ｃ】
0005241322.tif 000012
【図９Ｄ】
0005241322.tif 000013
【図９Ｅ】
0005241322.tif 000014
【図９Ｆ】
0005241322.tif 000015
【図１０Ａ】
0005241322.tif 000016
【図１０Ｂ】
0005241322.tif 000017
【図１０Ｃ】
0005241322.tif 000018
【図１０Ｄ】
0005241322.tif 000019
【図１１】
0005241322.tif 000020